(57)【要約】  ヒト患者が歯肉炎であるかを評価するインビトロ方法を開示する。当該方法は、バイオマーカータンパク質を決定する洞察に基づく。従って、歯肉炎に罹患した患者の唾液試料において、特定のタンパク質の組み合わせで濃度が測定される。そのような組み合わせの１つは、α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つである。当該測定濃度に基づき、値が、当該タンパク質の結合濃度を反映して決定される。当該値を、歯肉炎に関連する結合濃度を同様に反映する閾値と比較する。当該比較により、試験値が前記患者における歯肉炎の存在の指標となるかの評価をすることができる。これにより、通常、閾値に反映される結合濃度よりも低い結合濃度を反映する試験値は、前記患者が歯肉炎でないことの指標となり、閾値により反映される結合濃度又はそれよりも高い結合濃度を反映する試験値は、前記患者の歯肉炎の指標となる。【特許請求の範囲】
【請求項１】
ヒト患者が歯肉炎であるかを評価するインビトロ方法であって、以下の：
−前記ヒト患者由来の唾液試料中の、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；又は、
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の濃度の検出工程；
−前記タンパク質について測定された結合濃度を反映する試験値の決定；
−前記試験値を、歯肉炎に関連する結合濃度を同じ方法で反映する閾値と比較して、前記試験値が前記患者の歯肉炎の指標となるかを評価する工程；
を含む、インビトロ方法。
【請求項２】
前記ヒト患者が歯肉炎であることが疑われる、請求項１に記載の方法。
【請求項３】
前記被験体の年齢が判定され、前記試験値が、前記被験体の年齢と組み合わせて、前記タンパク質について決定された前記結合濃度を反映する、請求項１又は２に記載の方法。
【請求項４】
前記閾値が、歯肉炎の存在又は歯肉炎の非存在と関連する各試料中の１又はそれ以上の参照試料中の前記タンパク質について決定された濃度に基づく、請求項１〜３のいずれか一項に記載の方法。
【請求項５】
前記閾値が、歯肉炎である被験体由来の試料及び歯肉炎でない被験体からの試料を含む、一組の試料中のタンパク質の濃度に基づく、請求項１〜３のいずれか一項に記載の方法。
【請求項６】
前記タンパク質が、以下の：
ＭＭＰ８、ＩＬ−１β、Ａ１ＡＧＰ及びＨｂ−ベータ；
ＭＭＰ８、ＭＭＰ９、Ａ１ＡＧＰ及びＨｂ−ベータ；
ＭＭＰ８、Ａ１ＡＧＰ、Ｈｂ−ベータ及びＫ−４；又は、
ＨＧＦ、Ａ１ＡＧＰ、Ｈｂ−ベータ及びＫ−４；
のタンパク質を含む、請求項１〜５のいずれか一項に記載の方法。
【請求項７】
前記タンパク質が以下の：
ＭＭＰ８、ＩＬ−１β、Ａ１ＡＧＰ及びＨｂ−ベータ；
ＭＭＰ８、ＭＭＰ９、Ａ１ＡＧＰ及びＨｂ−ベータ；
ＭＭＰ８、Ａ１ＡＧＰ、Ｈｂ−ベータ及びＫ−４；又は、
ＨＧＦ、Ａ１ＡＧＰ、Ｈｂ−ベータ及びＫ−４；
のタンパク質からなる、請求項１〜５のいずれか一項に記載の方法。
【請求項８】
前記決定された濃度値は、０から１の間の数字に算術的に処理される、請求項１〜７のいずれか一項に記載の方法。
【請求項９】
ヒト患者の唾液サンプルにおいて、患者が歯肉炎であるかを評価するバイオマーカーとしての、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の使用。
【請求項１０】
前記ヒト患者の年齢もまたバイオマーカーとして用いられる、請求項９に記載の使用。
【請求項１１】
ヒト患者が歯肉炎であるかを評価するシステムであって、以下の：
−ヒト患者の唾液試料中で以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出することができ、かつそのように適合された検出手段；
−前記タンパク質の決定された濃度から歯肉炎である患者の指標を決定するように適合されたプロセッサ；
を含む、システム。
【請求項１２】
口腔液試料を受け入れる容器をさらに含み、前記容器が前記検出手段を含む、請求項１１に記載のシステム。
【請求項１３】
さらに、以下の：
−前記指標をユーザに提示するユーザインタフェース；
−前記プロセッサから前記ユーザインタフェースに指示を転送する前記プロセッサと前記ユーザインタフェースとの間のデータ接続；
を含む、請求項１１又は１２に記載のシステム。
【請求項１４】
前記プロセッサが、インターネット系アプリケーションによって機能させうる、請求項１１〜１３のいずれか一項に記載のシステム。
【請求項１５】
前記インタフェースは、前記被験体の年齢に関する情報を入力することができ、前記プロセッサは、前記決定された濃度から、前記患者が歯肉炎であることの指標を決定することができ、かつそのように適合された、請求項１１〜１４のいずれか一項に記載のシステム。
【請求項１６】
ヒト患者の唾液試料中の歯肉炎用の少なくとも２つのバイオマーカーを検出するキットであって、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の検出する、１又はそれ以上の検出試薬を含む、キット。
【請求項１７】
前記１又はそれ以上の検出試薬が、少なくとも２つの検出試薬、Ａ１ＡＧＰを検出する第１検出試薬、Ｈｂ−ベータを検出するための第２検出試薬、及びＭＭＰ８、ＭＭＰ９、及びケラチン４のうちの少なくとも１つを検出するための第３検出試薬を含む、請求項１６に記載のキット。
【請求項１８】
前記１又はそれ以上の検出試薬が固体支持体上に含まれる、請求項１６又は１７に記載のキット。
【請求項１９】
前記１又はそれ以上の検出試薬が、Ａ１ＡＧＰ、Ｈｂ−ベータ、及びＭＭＰ８、ＭＭＰ９、及びケラチン４の１、２、又はすべての検出試薬からなる、請求項１６〜１８のいずれか一項に記載のキット。
【請求項２０】
歯肉炎に罹患しているヒト患者において、第１時点ｔ１から第２時点ｔ２までの時間にわたり、歯肉炎の状態の変化を決定するインビトロ方法であって、前記患者から得られた唾液の少なくとも１つの試料において、ｔ１及び前記患者から得られた唾液の少なくとも１つの試料で、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の濃度の検出工程；及び、
前記濃度の少なくとも１、２又はそれ以上の差が、状態の変化を反映するような濃度の比較工程；
を含む方法。
【請求項２１】
ヒト患者が歯肉炎であるかを診断する方法であって、前記ヒト患者の唾液試料中で以下の前記タンパク質を検出することを含む方法：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出する工程；  
前記試料中の前記タンパク質の濃度に基づいて、患者における歯肉炎の存在を評価する工程；
を含む方法。
【請求項２２】
ヒト患者において、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；のタンパク質を検出する方法であって、以下の：
（ａ）ヒト患者から唾液試料を得る工程；及び、
（ｂ）前記タンパク質と結合する１又はそれ以上の検出試薬と試料を接触させて、前記タンパク質が試料中に存在するか否かの検出工程、及び各タンパク質と１又はそれ以上の検出試薬との間の結合の検出工程；
を含む、方法。
【発明の詳細な説明】
【技術分野】
【０００１】
本発明は、口腔ケアの分野における、歯周疾患の唾液ベースの診断に関連する。特に、本発明は、歯肉炎を診断するキット、使用及び方法に関する。
【背景技術】
【０００２】
歯肉炎症、すなわち歯肉炎は、主に歯の細菌性バイオフィルム、すなわち歯垢の歯表面への付着によって引き起こされる非破壊的な歯周疾患である。もし検出されて治療されなければ、可逆性歯肉炎は通常、歯の周辺の組織（すなわち歯周組織）の炎症を引き起こすが、これは不可逆性歯周病として定義される状態であり、組織破壊及び歯槽骨喪失が起こり、最終的に歯の喪失に至る。歯肉疾患の進行中には、歯肉の腫れ、淡紅色から暗赤色への色の変化、歯肉の出血、息苦しさ、歯肉の圧痛や痛み等、関連する臨床徴候や症状が現れる。
【０００３】
歯周病は、口腔微生物が原因の慢性多因子性炎症性疾患であり、硬（骨）及び軟（歯周靭帯）組織の進行性破壊を特徴とし、最終的に歯の可動性及び喪失にいたる。これは、歯肉組織の可逆的な感染及び炎症である歯肉炎とは区別されるべきである。炎症性歯周病は最も一般的な慢性ヒト疾患の１つで、成人の歯の喪失の主な原因である。歯周病が口腔の健康に及ぼす実質的な悪影響に加えて、歯周病は全身的な結果をもたらし、それが心疾患（例えば、アテローム性動脈硬化症、脳卒中）、糖尿病、妊娠合併症、結合リウマチ及び呼吸器感染症を含むいくつかの全身性疾患の危険因子であるというエビデンスも増加している。
【０００４】
したがって、歯周疾患の早期かつ正確な診断は、口腔及び全身の健康の観点から重要である。
【０００５】
一般的な歯科診療では、歯周疾患の診断は依然として不十分であり、その結果、治療的介入の割合が比較的低く、未治療の症例がかなり多い。現在の診断は、歯科医による不正確で主観的な口腔組織の臨床試験（色、腫脹、プロービングでの出血の程度、プロービングポケットの深さ、及び口腔Ｘ線による骨損失）に依存する。これらの従来の方法は時間がかかり、用いられる技術（ポケット深度、Ｘ線）のいくつかは、現在の疾患活動性又はさらなる疾患感受性よりもむしろ、過去の疾患活動性などの歴史的事象を反映する。従って、より客観的、より迅速、正確、より簡便な診断法（理想的には予測値を伴う）が望ましく、非専門家でも実施され得るものが好ましい。それにより、現在の疾患活動性、被験体のさらなる歯周疾患に対する感受性を判定することが望ましい。
【０００６】
唾液又は経口液剤は、長い間、口腔疾患及び一般疾患の診断用液として提唱されてきた。また、ラボ・オン・チップという小型バイオセンサーの出現により、迅速な診察室での診療現場試験診断法は、科学的及び臨床的により大きな関心を集めている。特に歯周疾患の検出では、組織の炎症及び破壊に関連する炎症性バイオマーカーは、近接するために唾液中に容易に到達する可能性があり、唾液は歯周疾患の検出について、強力な可能性があることを示唆する。実際、この分野は大きな関心を集めており、有望な結果が得られている。例えば、非特許文献１は、歯周疾患と相関する宿主及び細菌由来のバイオマーカーを同定した。しかし、まだ明確な試験は確立されていない。
【０００７】
バイオマーカーは、臨床症状を裏付ける生物学的指標であり、歯周疾患の臨床転帰を診断する客観的尺度である。最終的には、証明されたバイオマーカーを用いて、将来の疾患のリスクを評価し、極めて早期の段階で疾患を同定し、初期治療への反応を同定し、予防戦略を実施することができる。
【先行技術文献】
【非特許文献】
【０００８】
【非特許文献１】Ramseier  et  al  (J  Periodontol.2009  Mar;80(3):436-46)
【発明の概要】
【発明が解決しようとする課題】
【０００９】
唾液中のバイオマーカーに関する診療現場試験の開発については、これまで、診察室での応用に適応できる技術の欠如及び個々の試料中の複数のバイオマーカーの分析が不可能であるという制限があった。また、当該試験に含める複数のバイオマーカーの選択は、文献で十分に扱われておらず、実用的な試験でも実施されていない。
【００１０】
より単純なプロセス、特に少量の唾液試料を患者から、できれば患者自身が採取しうるプロセスの提供が望まれる。当該試料は、唾液試料を分類できる体外診断装置に入力されて、その測定に基づき、当該患者の歯肉炎の罹患と分類される見込みの指標を返すことができることが望ましい。
【課題を解決するための手段】
【００１１】
上記要望により良く対処するために、本発明は、一態様では、ヒト患者が歯肉炎であるかを評価するインビトロ方法であって、以下の：
−前記ヒト患者由来の唾液試料中の、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；又は、
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の濃度の検出工程；
−前記タンパク質について測定された結合濃度を反映する試験値の決定；
−前記試験値を、歯肉炎に関連する結合濃度を同じ方法で反映する閾値と比較して、前記試験値が前記患者の歯肉炎の指標となるかを評価する工程；
を含む、インビトロ方法に関する。
【００１２】
他の態様では、本発明は、患者が歯肉炎であるかを評価するバイオマーカーとして、ヒト患者の唾液試料中の第１態様のタンパク質の使用を提供する。
【００１３】
場合によっては、患者の年齢もまた、バイオマーカーとして用いられる。
【００１４】
さらなる態様では、本発明は、ヒト患者が歯肉炎であるかを評価するシステムであって、以下の：
−ヒト患者の唾液試料中で以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出することができ、かつそのように適合された検出手段；
−前記タンパク質の決定された濃度から歯肉炎である患者の指標を決定するように適合されたプロセッサ；
を含む、システムに関する。
【００１５】
当該システムは、場合によっては、情報を提示することができ、好ましくは、被験体の年齢等の情報、及び場合によっては、性別及び／又はＢＭＩ（ボディマスインデックス）等の他の情報も提示することができるインタフェース、特にグラフィカルユーザインタフェースへのデータ接続を含み、前記インタフェースは、システムの部分であるか又はリモートインタフェースである。
【００１６】
場合によっては、前記アイテムのうちの１又はそれ以上、特にプロセッサは、「クラウド内」、すなわち固定マシン上ではなく、インターネット系アプリケーションによって機能することができる。
【００１７】
なおさらなる態様では、本発明は、ヒト患者の唾液試料中の歯肉炎用の少なくとも２つのバイオマーカーを検出するキットであって、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の検出する、１又はそれ以上の検出試薬を含む、キットを提供する。
【００１８】
通常、２又はそれ以上の検出試薬が用いられ、各試薬は異なるバイオマーカーに結合する。一の実施形態では、第１検出試薬はＡ１ＡＧＰに結合することができ、第２検出試薬はＭＭＰ８に結合することができる。さらなる実施形態では、第１検出試薬はＡ１ＡＧＰに結合することができ、第２検出試薬はＭＭＰ９に結合することができる。１の他の実施形態では、第１検出試薬はＡ１ＡＧＰに結合することができ、第２検出試薬はＨｂ−ベータに結合することができ、第３検出試薬はＭＭＰ８、ＭＭＰ９及びＫ−４の少なくとも１つに結合することができる。他の実施形態では、第１検出試薬はＨＧＦと結合することができ、第２検出試薬はＭＭＰ８と結合することができ、第３検出試薬はＫ−４と結合することができる。さらなる態様では、第１検出試薬はＭＭＰ−８に結合することができ、第２検出試薬はＩＬ−１βに結合することができ、第３検出試薬はＫ−４に結合することができ、かつ、場合によっては、第４検出試薬はプロフィリンに結合することができる。
【００１９】
さらにもう１つの態様では、本発明は、歯肉炎に罹患しているヒト患者において、第１時点ｔ１から第２時点ｔ２までの時間にわたり、歯肉炎の状態の変化を決定するインビトロ方法であって、前記患者から得られた唾液の少なくとも１つの試料において、ｔ１及び前記患者から得られた唾液の少なくとも１つの試料で、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
の前記タンパク質の濃度の検出工程；及び、
前記濃度の少なくとも１、２又はそれ以上の差が、状態の変化を反映するような濃度の比較工程；を含む方法を提供する。
【００２０】
さらなる態様では、本発明は、ヒト患者が歯肉炎であるかを診断する方法であって、前記ヒト患者の唾液試料中で以下の前記タンパク質を検出することを含む方法：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出する工程；  
前記試料中の前記タンパク質の濃度に基づいて、患者における歯肉炎の存在を評価する工程；
を含む方法を提供する。場合によっては、この態様の方法は、患者の歯肉炎を治療するさらなる工程を含む。
【００２１】
なお、さらなる態様では、本発明は、ヒト患者において、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；のタンパク質を検出する方法であって、以下の：
（ａ）ヒト患者から唾液試料を得る工程；及び、
（ｂ）前記タンパク質を結合する１又はそれ以上の検出試薬と試料を接触させて、前記タンパク質が試料中に存在するか否かの検出工程、及び各タンパク質と１又はそれ以上の検出試薬との間の結合の検出工程；
を含む、方法を提供する。通常、本明細書の他の箇所に記載されているように、少なくとも第１及び第２、場合によっては第３及び第４検出試薬が存在する。
【図面の簡単な説明】
【００２２】
【図１】本開示に記載される方法で使用するためのシステムを概略的に表す図である。
【発明を実施するための形態】
【００２３】
一般的な意味では、本発明は、歯肉炎が、少数のタンパク質バイオマーカーの測定に基づいて十分な精度で、健常口腔から区別され得るという賢明な洞察に基づく。特に、ヒト患者の唾液試料中のわずか２つのタンパク質が、歯肉炎の有無を同定するバイオマーカーとして機能することが見出されている。
【００２４】
当該バイオマーカータンパク質は、α−１−酸性糖タンパク質（Ａ１ＡＧＰ）、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、Ｓ１００カルシウム結合タンパク質Ａ８（Ｓ１００Ａ８）、ケラチン４（Ｋ−４）、インターロイキン−１β（ＩＬ−１β）、及びプロフィリンである。これらのタンパク質の以下の：
α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
肝細胞増殖因子（ＨＧＦ）、並びに、マトリックスメタロプロテアーゼ−８（ＭＭＰ８）及びケラチン４（Ｋ−４）の少なくとも１つ；又は、
マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
の組み合わせは、本発明による歯肉炎の診断に用いられる。
【００２５】
被験体の年齢は、場合によっては、追加のマーカーとして含まれ得る。
【００２６】
α−１−酸性糖タンパク質（Ａ１ＡＧＰ）は、主に肝臓で合成される血漿α‐グロブリン糖タンパク質である。オロソムコイドとしても知られる血液中の輸送タンパク質として機能し、塩基性で中性に荷電したリポ親和性化合物の運搬体として作用する。また、血液細胞と内皮細胞との相互作用を調節すると考えられている。
【００２７】
ＭＭＰは、コラーゲン、プロテオグリカン、ラミニン、エラスチン、及びフィブロネクチン等の細胞外マトリクス成分の分解に関与する酵素のファミリーである。それらは、生理学的及び病理学的条件で、歯周靭帯（ＰＤＬ）リモデリングにおける中心的役割を果たす。好中球コラゲナーゼ又はＰＭＮＬコラゲナーゼ（ＭＮＬ−ＣＬ）としても知られるＭＭＰ−８は、大部分の哺乳動物の結合組織に存在するコラーゲンプロテアーゼ酵素である。９２ｋＤａＩＶ型コラゲナーゼ、９２ｋＤａゼラチナーゼ又はゼラチナーゼＢ（ＧＥＬＢ）としても知られるＭＭＰ−９は、細胞外マトリクスの分解に関与する亜鉛メタロプロテアーゼファミリーに属する酵素のクラスであるマトリキシンである。
【００２８】
肝細胞増殖因子（ＨＧＦ）は、パラクリン細胞成長、運動性及び形態形成因子である。間葉系細胞から分泌され、標的細胞となり、主に上皮細胞や内皮細胞に作用するが、造血前駆細胞にも作用する。ＨＧＦは筋形成及び創傷治癒に主要な役割を果たすことが示される。有糸分裂誘発、細胞運動性、マトリクス浸潤を刺激する機能は、血管新生、腫瘍形成、及び組織再生において中心的役割を果たす。ＨＧＦは上皮細胞の成長を刺激し、結合組織の付着の再生を妨げる。ＨＧＦは様々な疾患における疾患活動性を示す血清マーカーとして知られる。
【００２９】
ヘモグロビン（Ｈｂ）は、ほとんどすべての脊椎動物及び一部の無脊椎動物の組織の赤血球中の鉄含有酸素輸送金属タンパク質である。ヘモグロビンβ（βグロビン、ＨＢＢ、βグロビン、及びヘモグロビンサブユニットβとしても知られる）はグロビンタンパク質であり、αグロビン（ＨＢＡ）とともに成人のヘモグロビンの最も一般的な形態であるＨｂＡを構成する。Ｈｂ−βは通常、１４６個のアミノ酸の長さであり、分子量は１５，８６７Ｄａである。正常な成人のＨｂＡは２つのα鎖と２つのβ鎖からなるヘテロ四量体である。Ｈｂ−βはヒト１１番染色体上のＨＢＢ遺伝子にコードされる。
【００３０】
Ｓ１００カルシウム結合タンパク質Ａ８（Ｓ１００Ａ８）は、炎症過程及び免疫応答の調節で重要な役割を果たすカルシウム及び亜鉛結合タンパク質である。好中球の走化性、接着を誘導することができる。
【００３１】
ケラチン−４（Ｋ４）は、細胞骨格ケラチン４（ＣＹＫ４）又はサイトケラチン−４（ＣＫ−４）としても知られるが、ヒトではＫＲＴ４遺伝子によってコードされるタンパク質である。ケラチン遺伝子ファミリーに属する。ＩＩ型サイトケラチンは、単純及び重層上皮組織の分化の間に共発現される一対の異型ケラチン鎖に配列する塩基性又は中性のタンパク質からなる。ＩＩ型サイトケラチンＣＫ４は、ＫＲＴ１３ファミリーの粘膜上皮及び食道上皮の分化した層において特異的に発現する。当該遺伝子の突然変異は、口腔、食道、及び肛門の白板症を特徴とする白色スポンジ状母斑と関連する。ＩＩ型サイトケラチンは染色体１２ｑ１２−ｑ１３の領域にクラスターを形成する。
【００３２】
ＩＬ−１β（インターロイキン−１β）はサイトカインのインターロイキン１ファミリーのメンバーである。このサイトカインは、プロタンパク質として活性化されたマクロファージによって産生され、カスパーゼ１（ＣＡＳＰ１／ＩＣＥ）によるタンパク質分解により、活性型にプロセシングされる。このサイトカインは、炎症反応の重要なメディエーターであり、細胞増殖、分化、及びアポトーシスを含む様々な細胞活性に関与する。
【００３３】
プロフィリンは、アクチン細胞骨格の動的な代謝回転と再構築に関与するアクチン結合タンパク質であり、ほとんどの細胞でみられる。アクチンミクロフィラメントの空間的及び時間的に制御された成長には重要であり、これは細胞の移動及び細胞の形態変化に不可欠な過程である。ヒトプロフィリン−１は、発現されると通常１４０アミノ酸の長さであるが、多くの場合、さらにプロセシングされて成熟型になる。
【００３４】
上記タンパク質は、当該分野で公知である。当業者は、それらの構造、及び唾液試料等の水性試料中でそれらを検出する方法を知っている。以下の：
α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
肝細胞増殖因子（ＨＧＦ）、並びに、マトリックスメタロプロテアーゼ−８（ＭＭＰ８）及びケラチン４（Ｋ−４）の少なくとも１つ；又は、
マトリックスメタロプロテアーゼ−８（ＭＭＰ８）、並びに、インターロイキン−１β（ＩＬ−１β）、ケラチン４（Ｋ−４）、及びプロフィリンの少なくとも１つ；のタンパク質のバイオマーカーを「本発明のバイオマーカーパネル」と総称する。
【００３５】
実施例の表１は、本発明に関する１４の特に好ましいタンパク質バイオマーカーの組み合わせを提供する。
【００３６】
本発明のバイオマーカーパネルは、１の実施形態では、当該同定されたタンパク質バイオマーカーからなりうる。好ましくは、本発明のバイオマーカーパネルは、本発明で同定されたタンパク質バイオマーカーのうちの４つ以下、例えば、本発明の３又は４つのタンパク質バイオマーカーからなる。本発明のバイオマーカーパネルに加えて、人口統計学的データ（例えば、年齢、性別）等の他のバイオマーカー及び／又はデータを、歯肉炎の決定に適用されるデータのセットに含めることができる。
【００３７】
他のタンパク質バイオマーカーの例として、遊離軽鎖カッパがある。これは、以下の表１の好ましいバイオマーカーパネルのいくつかに含まれる。遊離軽鎖タンパク質は免疫グロブリン軽鎖である。それらは免疫グロブリン重鎖とは会合しない。通常の全免疫グロブリン分子とは異なり、遊離軽鎖タンパク質は免疫グロブリン重鎖に共有結合しない。例えば、遊離軽鎖は重鎖に結合したジスルフィドではない。通常、遊離軽鎖は約２２０個のアミノ酸を含む。通常、遊離軽鎖タンパク質は、可変領域（しばしば、Ｌｉｇｈｔ  Ｃｈａｉｎ  ｖａｒｉａｂｌｅ  Ｒｅｇｉｏｎ、ＶＬという）及び定常領域（しばしば、Ｌｉｇｈｔ  Ｃｈａｉｎ  ｃｏｎｓｔａｎｔ  Ｒｅｇｉｏｎ、ＣＬという）を含む。ヒトは、カッパ（κ）とラムダ（λ）と命名された２種類の免疫グロブリン軽鎖を産生する。これらは各々、４つのκサブタイプ（Ｖκ１、Ｖκ２、Ｖκ３及びＶκ４）及び６つのλサブタイプ（Ｖλ１、Ｖλ２、Ｖλ３、Ｖλ４、Ｖλ５及びＶλ６）がある可変領域の変異に基づいてさらにサブグループに分けることができる。遊離軽鎖κは、通常、単量体である。遊離軽鎖λは、通常、二量体であり、ジスルフィド結合により（別の遊離軽鎖λと）結合する。遊離軽鎖κと遊離軽鎖κの高分子型が同定されている。遊離軽鎖は、骨髄及びリンパ節細胞、並びにびまん性リンパ球により、歯周組織に局所的に産生され、血液から速やかに除去され、腎臓で分解される。単量体遊離軽鎖は２〜４時間で、二量体遊離軽鎖は３〜６時間で除去される。
【００３８】
他のバイオマーカーが、場合によっては、含まれる場合、バイオマーカーの総数（すなわち、本発明のバイオマーカーパネル＋他のバイオマーカー）は、通常３、４、５又は６である。
【００３９】
しかしながら、本発明の望ましい利点は、好ましくは４つ以下のバイオマーカー、例えば３、又は４のタンパク質バイオマーカーを測定して、患者の歯肉炎の分類を決定できることである。特に、この決定には、有利には、簡易かつ簡便な診断テストを提供する他のデータを用いる必要がない。
【００４０】
本方法は、必要に応じて、少量の唾液試料、例えば、液滴を被験体から採取するだけでよい。試料のサイズは、通常、０．１μｌ〜２ｍｌ、例えば、１〜２ｍｌの範囲であり、それにより、より少量、例えば、０．１〜１００μｌを体外装置処理に用いることができ、それにより、より大きな試料、例えば、最大２０ｍｌ、例えば、７．５〜１７ｍｌを採取することも可能である。
【００４１】
この試料は、関与するタンパク質の濃度を測定し、診断結果を返す体外診断装置に入力され、歯肉炎の可能性に基づいて被験体を分類する。
【００４２】
本発明の使用の簡便性により、歯肉炎である、又は歯肉炎を発症するリスクが高い歯科患者の大部分を、定期的に（例えば、定期的な歯科試験の一部として、又は自宅においてさえ）試験することができる。これにより、特に、歯肉炎発症直後に歯肉炎の存在が検出できるため、より時宜を得た口腔ケアを行い、歯周病への進行を防止し、歯肉炎の進行を逆行させることができる。あるいは、例えば、歯肉炎のリスクが高いことが知られており、患者の初回試験で、この方法により、歯肉炎の発症を同定することができる。特に、本方法は自己診断にも適し、試料を採取し、それを装置に入れる工程を、患者自身が実施することができる。
【００４３】
本発明が、歯肉炎の存在の確認に実施される場合、患者は通常、歯肉炎であることが知られているか、又は歯肉炎であることが疑われる。従って、特定の態様では、本方法は、歯肉炎であることが知られているか又は疑われるヒト患者が歯肉炎であるかを評価する。被験体に「健常又は歯肉炎分類」を実施する場合、被験体が歯周炎に罹患していないことが既に知られているか、又は想定されている。これは、例えば、以前に実施された歯周炎の検出／分類手順から知ることができるか、又は例えば、被験体の口腔の健康状態記録から想定することができる。
【００４４】
本発明の方法は、通常、１つ又はそれ以上の検出試薬を用いて、本発明のバイオマーカーパネルを構成する前記タンパク質、及び場合によっては、さらなるバイオマーカータンパク質を検出することを含む。
【００４５】
本発明により試験される「唾液」は、吐出又はスワブによって獲得しうる得る未希釈の唾液であってよく、又は液体で口をすすいで獲得しうる希釈された唾液であってよい。希釈唾液は、患者が滅菌水（例えば、５ｍｌ又は１０ｍｌ）又は他の適当な流体で数秒間口をすすぎ又は振り動かし、容器に吐き出して得ることができる。当該希釈唾液は、口腔すすぎ液という場合もある。
【００４６】
「検出する」とは、バイオマーカータンパク質の濃度を測定、定量、スコアリング、又はアッセイすることを意味する。バイオマーカータンパク質を含む生物学的化合物を評価する方法は、当技術分野では公知である。タンパク質バイオマーカーを検出する方法には、直接測定及び間接測定が含まれることが認識されている。当業者は、特定のバイオマーカータンパク質をアッセイする適当な方法を選択することができるであろう。
【００４７】
タンパク質バイオマーカーに関する用語「濃度」には、その通常の意味、すなわち、体積中のタンパク質の存在量が与えられる。タンパク質濃度は、体積当たりの質量で測定される。最も通常には、ｍｇ／ｍｌ又はμｇ／ｍｌであるが、ときにはｐｇ／ｍｌと低く測定される。別の尺度は、モラリティ（又はモル濃度）、モル／Ｌ又は「Ｍ」である。濃度は、公知の、決定された、又は所定の容量の試料中のタンパク質の量を検出して測定することができる。
【００４８】
濃度を測定する代わりに、試料中のタンパク質バイオマーカーの絶対量を測定すること、又は試料中のバイオマーカーの質量−分画を測定すること、例えば、試料中の他のすべてのタンパク質の合計に対するバイオマーカーの量を測定してもよい。
【００４９】
「検出試薬」とは、目的のタンパク質バイオマーカーに特異的に（又は選択的に）結合し、相互作用し、又は検出する物質又は化合物である。当該検出試薬は、限定されるものではないが、タンパク質バイオマーカーに優先的に結合する抗体、ポリクローナル抗体、又はモノクローナル抗体を含み得る。
【００５０】
用語「特異的に（又は選択的に）結合する」又は「特異的な（又は選択的な）免疫反応性がある（有する）」は、検出試薬を参照する場合、タンパク質及び他の生物学的製剤の不均一な集団におけるタンパク質バイオマーカーの存在を測定する結合反応をいう。従って、指定された免疫学的測定条件下では、特定の検出試薬（例えば、抗体）は、バックグラウンドの少なくとも２倍で特定のタンパク質に結合し、試料中に存在する他のタンパク質に実質的に有意量で結合しない。当該条件下での特異的結合には、特定のタンパク質に対する特異性のために選択される抗体が必要である。様々な免疫学的測定フォーマットを用いて、特定のタンパク質と特異的に免疫反応性の抗体を選択することができる。例えば、固相ＥＬＩＳＡ免疫学的測定法（酵素免疫測定法）は、タンパク質と特異的に免疫反応性のある抗体の選択に日常的に用いられる（例えば、Harlow  &  Lane,  Antibodies,  A  Laboratory  Manual  (1988),  for  a  description  of  immunoassay  formats  and  conditions  that  can  be  used  to  determine  specific  immunoreactivity参照）。通常、特異的又は選択的反応は、バックグラウンドシグナル又はノイズの少なくとも２倍であり、より典型的には、バックグラウンドの１０〜１００倍を超えるであろう。
【００５１】
「抗体」とは、エピトープ（例えば、抗原）を特異的に結合し、認識する、免疫グロブリン遺伝子又は免疫グロブリン遺伝子、又はそれらの断片によって実質的にコードされるポリペプチドリガンドをいう。認識された免疫グロブリン遺伝子には、κ及びλ軽鎖定常領域遺伝子、α、γ、δ、ε及びμ重鎖定常領域遺伝子、及び無数の免疫グロブリン可変領域遺伝子が含まれる。抗体は、例えば、無傷の免疫グロブリンとして、又は様々なペプチダーゼによる消化により産生される多数の十分に特徴付けられた断片として存在する。これは、例えば、Ｆａｂ’及びＦ（ａｂ）’２断片を含む。本明細書中で用いられる用語「抗体」はまた、全抗体の修飾によって産生された抗体断片、又は組換えＤＮＡ方法を用いて新規に合成された抗体断片を包含し、また、ポリクローナル抗体、モノクローナル抗体、キメラ抗体、ヒト化抗体、又は単鎖抗体を包含し、抗体の「Ｆｃ」部分は、１又はそれ以上の重鎖定常領域ドメインＣＨ１、ＣＨ２、及びＣＨ３を含むが、重鎖可変領域を含まない免疫グロブリン重鎖の部分を意味する。抗体は、二重特異性抗体、例えば、第１抗原に特異的に結合する第１可変領域及び第２の異なる抗原に特異的に結合する第２可変領域がある抗体であり得る。少なくとも１つの二重特異性抗体を用いて、必要な検出試薬の数を減らすことができる。
【００５２】
診断法は感度及び特異度が異なる。診断的アッセイの「感度」とは、試験が陽性であった患者の割合（「真の陽性」の割合）であり、アッセイで検出されなかった疾患患者は「偽陰性」である。病気ではないが試験で陰性となった被験体を「真陰性」といい、診断試験の「特異度」は１から偽陽性率を差し引いたものであり、「偽陽性」率は、試験で陽性となった罹患のない被験体の割合と定義される。
【００５３】
本発明のバイオマーカータンパク質は、いかなる手段によっても試料中で検出することができる。バイオマーカー検出の好ましい方法は、抗体系アッセイ、タンパク質アレイアッセイ、質量分析（ＭＳ）系アッセイ、及び（近赤外分光法系アッセイである。例えば、免疫学的測定法には、ウエスタンブロット、ラジオ免疫学的測定法、ＥＬＩＳＡ「サンドイッチ」免疫学的測定法、免疫沈降アッセイ、沈降反応、ゲル拡散沈降反応、免疫拡散アッセイ、蛍光免疫学的測定法等の技術を用いる競合的及び非競合的アッセイシステムが含まれるが、これらに限定されない。当該アッセイは常套手段であり、当技術分野では周知である。例示的な免疫学的測定法は、以下に簡単に記載される（しかし、限定を意図するものではない）。
【００５４】
免疫沈降プロトコルは一般に、タンパク質ホスファターゼ及び／又はプロテアーゼ阻害剤（例えば、ＥＤＴＡ、ＰＭＳＦ、アプロチニン、バナジン酸ナトリウム）が添加されたＲＩＰＡ緩衝液（１％ＮＰ−４０又はＴｒｉｔｏｎＸ−１００、１％デオキシコール酸ナトリウム、０．１％ＳＤＳ、０．１５Ｍ  ＮａＣ１、ｐＨ７．２の０．０１Ｍリン酸ナトリウム、１％トラシロール）等の溶解緩衝液中で細胞の集団を溶解し、細胞溶解液に目的の抗体を添加し、４℃で一定期間（例えば、１〜４時間）インキュベートし、プロテインＡ及び／又はプロテインＧセファロースビーズを細胞溶解液に添加し、約１時間以上４℃でインキュベートし、溶解緩衝液中でビーズを洗浄し、ＳＤＳ／試料緩衝液中でビーズを再懸濁することを含む。抗体の特定の抗原を免疫沈降能は、例えば、ウエスタンブロット分析で評価することができる。当業者は、抗原への抗体の結合を高め、バックグラウンドを軽減する（例えば、セファロースビーズで細胞溶解物を予めクリアする）ために修飾され得るパラメータに関して知識があるであろう。
【００５５】
ウエスタンブロット分析は、一般に、タンパク質試料の調製、ポリアクリルアミドゲル中でのタンパク質試料の電気泳動（例えば、抗原の分子量に応じて８〜２０％のＳＤＳ−ＰＡＧＥ）、ポリアクリルアミドゲルからニトロセルロース、ＰＶＤＦ又はナイロン等の膜へのタンパク質試料の移動、ブロッキング溶液（例えば、３％のＢＳＡ又は非脂肪ミルクを含むＰＢＳ）中での膜のブロッキング、洗浄緩衝液（例えば、ＰＢＳ−Ｔｗｅｅｎ２０）中での膜洗浄、ブロッキング緩衝液中で希釈された一次抗体（対象の抗体）を用いた膜のブロッキング、洗浄緩衝液中での膜の洗浄、酵素基質（例えば、西洋ワサビペルオキシダーゼ又はアルカリホスファターゼ）に結合された一次抗体（例えば、抗ヒト抗体を認識する）又は放射性分子（例えば、３２Ｐ又は１２５Ｉ）を用いた膜のブロッキング、ブロッキング緩衝液中での膜の洗浄、及び当該抗原の存在の検出を含む。当業者は、検出されたシグナルを高め、バックグラウンドノイズを低下するのに修正することができるパラメータの知識があるであろう。
【００５６】
ＥＬＩＳＡは、通常、抗原（すなわち、目的のバイオマーカータンパク質又はその断片）の調製、９６穴マイクロタイタープレートのウェルの抗原でのコーティング、酵素基質（例えば、西洋ワサビペルオキシダーゼ又はアルカリホスファターゼ）等の検出可能な化合物に結合した目的の抗体をウェルに添加し、しばらくインキュベートすること、及び抗原の存在の検出を含む。ＥＬＩＳＡでは、目的の抗体を検出可能な化合物に結合させる必要はなく、代わりに、検出可能な化合物に結合された第２抗体（目的の抗体を認識する）をウェルに添加することができる。さらに、ウェルを抗原でコーティングする代わりに、抗体をウェルにコーティングしてもよい。この場合、検出可能な化合物に結合した第２抗体は、対象抗原がコーティングされたウェルに添加した後に添加することができる。当業者は、検出されたシグナル、及び当技術分野で公知のＥＬＩＳＡの他のバリエーションを高めるのに改変することができるパラメータの知識があるであろう。
【００５７】
複数のマーカーを用いるため、当該バイオマーカーの結合濃度に基づいて閾値を決定することができる。当該閾値は、患者が歯肉炎に分類されるかどうかを決定する。本発明は、歯肉炎が、上記のバイオマーカーの組み合わせの測定に基づいて十分な精度で検出され得るという洞察を反映する。
【００５８】
当該洞察は、他の態様、すなわち、ヒト患者の唾液サンプルにおいて、患者が歯肉炎であるかを評価するバイオマーカーとしての、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の使用を支持する。
【００５９】
この使用は、本明細書中及び本明細書中に実質的に記載された方法で実施することができる。
【００６０】
本発明の方法は、前記タンパク質について測定された結合濃度を反映する少なくとも１つの試験値を測定することを含む。結合濃度値は、測定された濃度の入力及びこれらの値の算術演算によって得られるいかなる値であってよい。これは、例えば、濃度の単純な添加であり得る。また、各濃度をこれらの濃度の所望の重量を反映する係数で乗算し、次いで結果を合計することを含むこともできる。また、濃度を互いに乗算すること、又は乗算、除算、減算、指数化、及び加算のいかなる組み合わせを含むこともできる。さらに、濃度をある程度まで上昇させることを含むことができる。
【００６１】
場合によっては、試験値は、被験体の年齢と組み合わせて、前記タンパク質について測定された結合濃度を反映する。
【００６２】
得られた結合濃度値は、歯肉炎の存在に関連する結合濃度を同じ方法で反映する閾値と比較することができる。この比較により、試験値が、唾液が試験を受けた患者における歯肉炎の存在を示す指標となるかを評価することができる。
【００６３】
閾値は、例えば、歯肉炎の存在に関連する参照試料、すなわち、歯肉炎と診断された患者において、同じタンパク質について決定された濃度に基づいて、同じ方法で得られた結合濃度値に基づくことができる。通常、結合濃度が同じかそれ以上であることを反映した値は、試験を受けた患者が歯肉炎であることを示す。同様に、試験を受けた歯肉炎患者の唾液中の結合濃度が低いことを反映する値は、歯肉炎でないことを示す。しかしながら、歯肉炎を示す試験値が閾値を下回り、歯肉炎でないことを示す試験値が閾値を上回るように、（例えば、負の乗数を用いることによって）閾値を計算することもできることが理解されるであろう。
【００６４】
閾値はまた、歯肉炎及び「非」歯肉炎と既知に診断された患者を含む、一連の試料中の本バイオマーカータンパク質の濃度を測定することに基づいて決定することもできる。それにより、測定された濃度値を、おそらく機械学習法を含む統計分析にかけ、望ましい感度及び特異度で、歯肉炎と分類された患者及び歯肉炎でないと分類された患者を識別することができる。これにより、所望の閾値を得ることができる。この閾値に基づいて、試験試料は、同じ濃度測定に供し、次いで、閾値が得られるのと同じ方法で、濃度値を処理し、閾値と比較され得る結合濃度値を決定し、従って、試験された試料を歯肉炎であるか否かに分類することができる。
【００６５】
興味深い実施形態では、結合濃度値は、以下のようなスコアの形式で得られる。数値（例えば、ｎｇ／ｍｌのタンパク質濃度値）を各測定に割り当て、これらの値を線形又は非線形の組み合わせで用いて、スコアをゼロから１の間で計算する。上記のように、閾値が一組の被験体に基づいて決定される場合、通常、０〜１のスコアは、結合濃度を入力とするシグモイド関数を用いて計算される（上記でさらに示すように）。
【００６６】
スコアがある閾値を超える場合、当該患者が歯肉炎に罹患していることを示す。当該閾値は、所望の感度及び特異度に基づいて選択され得る。
【００６７】
本発明によれば、被験体に対して「歯肉炎分類」を行う場合には、歯肉炎の状態についての知識又は認識がない被験体、又は歯肉炎のリスクがあるか又は歯肉炎であると考えられる被験体であり得ることが理解されよう。この事前知識は、通常、例えば、以前に行われた歯肉炎の診断から分かっていたが、その程度の識別能がないか、又は例えば、被験体の口腔の健康状態記録から想定されるかのいずれかである。
【００６８】
当該技術分野では認められている臨床的定義は、以下に基づく：
〔歯肉指数（ＧＩ）〕
以下の場合、ロベン修正歯肉指数（ＭＧＩ）を０〜４の尺度で評価し、それに基づいて全口腔歯肉指数を記録する：
−０  ＝炎症なし
−１  ＝軽度の炎症；辺縁又は乳頭状歯肉単位の全部ではなく、ある部分が、色の質感のわずかな変化がわずかに変化している
−２  ＝軽度の炎症；ただし、辺縁全体又は乳頭部に及ぶ；
−３  ＝中等度の炎症；開口、発赤、浮腫及び／又は辺縁又は乳頭部の肥大、
−４  ＝重度の炎症；著しい発赤、辺縁又は乳頭状歯肉単位の浮腫及び／又は肥厚、自然出血、うっ血、潰瘍形成。
【００６９】
〔プロービング深度（ＰＤ）〕
ＵＮＣ−１５手動歯周プロービングを用いて、最も近いｍｍまでプロービング深度を記録する。プロービング深度とは、プロービング先端（ポケットの基部と仮定）から歯肉縁までの距離をいう。
【００７０】
〔歯肉退縮（ＲＥＣ）〕
歯肉退縮は、ＵＮＣ−１５手動歯周プロービングを用いて、最も近いｍｍまで記録する。歯肉後退は、遊離歯肉縁からセメント質−エナメル境界までの距離である。歯肉退縮は正の数で示され、歯肉過成長は負の数で示される。
【００７１】
〔臨床的付着喪失（ＣＡＬ）〕
臨床的付着喪失は、各部位におけるプロービング深度＋後退の和として計算する。
【００７２】
〔プロービング時の出血（ＢＯＰ）〕   
プロービング後、プロービング時に各部位の出血を評価し、プロービング後３０秒以内に出血が生じた場合は、その部位に１のスコアを割り当て、そうでない場合は０のスコアを割り当てる。
【００７３】
結果として得られる被験体群（患者群）の定義は以下の通りである：
−健常群（Ｈ）：全部位でＰＤ≦３ｍｍ（ただし、最終立位大臼歯の遠位部では４ｍｍポケットまで可能）、近位部付着欠損のない部位、ＧＩ≧２．０、≦１０％、％ＢＯＰスコア≦１０％；
−歯肉炎群（Ｇ）：ＧＩが３０％を超える部位で３．０以上、近位部付着欠損している部位がない、ＰＤが４ｍｍを超える部位がない、％ＢＯＰスコアが１０％を超える；
−軽度〜中等度の歯周病群（ＭＰ）：８本以上の歯で５〜７ｍｍの歯間ＰＤ（約２〜４ｍｍのＣＡＬに等しい）、％ＢＯＰスコア＞３０％；
−進行性歯周病群（ＡＰ）：１２本以上の歯で７ｍｍ以上の歯間ＰＤ（ＣＡＬ約５ｍｍ以上と等しい）、％ＢＯＰスコア＞３０％。
【００７４】
一の実施形態では、本発明の方法は、図１に概略的に示すシステムを用いる。当該システムは、その中に一体化された様々な装置構成要素（ユニット）を有する単一の装置であってよい。また、当該システムは、その様々な構成要素、又はこれらの構成要素の一部を、別個の装置として有することができる。図１に示す構成要素は、測定装置（Ａ）、グラフィカルユーザインタフェース（Ｂ）、及びコンピュータ処理ユニット（Ｃ）である。
【００７５】
上記のように、本発明のシステムは、インタフェースへのデータ接続を含み、それによって、インタフェース自体は、システムの一部であっても、リモートインタフェースであってもよい。後者は、実際のインタフェースを提供するために、別の装置、好ましくはスマートフォン又はタブレットコンピュータ等のハンドヘルド装置をもちいることができる。このような場合のデータ接続は、好ましくは、Ｗｉ−Ｆｉ又はＢｌｕｅｔｏｏｔｈ等による、又は他の技術又は標準による無線データ転送を含む。
【００７６】
測定装置（Ａ）は、唾液試料を、装置（Ａ）に挿入可能なカートリッジ（Ａ１）上に唾液滴を滴下して、唾液試料を受け取るように構成される。当該装置は、同一の唾液試料から、タンパク質の濃度を決定することができる既存の装置であり得る。
【００７７】
プロセシングユニット（Ｃ）は、部分（Ａ）からのタンパク質濃度の数値を受け取る。単位（Ｃ）には、０から１のスコア（Ｓ）を計算できるソフトウェア（通常は組み込みソフトウェア）が付属する。当該ソフトウェアは、閾値（Ｔ）の数値をさらに含む。計算値（Ｓ）が（Ｔ）を超える場合、単位（Ｃ）はＧＵＩ（Ｂ）に「歯肉炎」の指示（Ｉ）を出力し、そうでない場合は「歯肉炎でない」を出力する。さらなる実施形態は、（Ｓ）の特定の値を用いて、指示（Ｉ）が行われる確実性を示すことができる。これは確率スコアであり、０．５は可能な閾値であり、例えば、スコアＳ＝０．８は歯肉炎の確率を示す。興味深い選択肢は以下のとおりである：
スコアＳに基づいて、確実性を直接示すことができる。すなわち、Ｓ＝０．８は歯肉炎の８０％の確実性を意味する；又は、
Ｒ１＜Ｓ＜Ｒ２の場合、Ｉは「不確定」となるように、Ｒ１〜Ｒ２の範囲を定義して表示する。
【００７８】
スコアの特定の計算は、例えば、ロジスティック回帰により、シグモイド関数を用いて実施することができる：
【００７９】
【数１】
2021521421.tif 000002
（式中、Ｎは、用いたタンパク質／バイオマーカーの数、ｃ０、ｃ１等は係数（数値）、Ｂ１、Ｂ２等は各々タンパク質濃度である。）
係数ｃｉの決定は以下の訓練手順：
−歯肉炎であるＮ１症例（現行基準で歯科医が判定）と、歯肉炎でないＮ２症例（歯肉が健常である症例）を選択する。
【００８０】
−各被験体から唾液試料を採取し、上記のようにバイオマーカーの組み合わせのタンパク質濃度を測定する。
【００８１】
−スコアＳを歯肉炎については１とし、歯肉炎でない（健常歯肉）でない場合は０とする。
【００８２】
−当該スコアとタンパク質濃度にシグモイド関数をあわせる。
により行うことができる。
【００８３】
スコアＳが歯肉炎患者では高く、非歯肉炎／健常対照者では低い場合に、既存の回帰分析法や機械学習法（線形回帰、ニューラルネットワーク、サポートベクトルマシンなど）を用いることができる。
【００８４】
特に、歯肉炎又は健常口腔の状態（例えば、米国歯周病学会の基準等の、歯科専門家による現在の基準を介した臨床評価により同定される）のいずれかである被験体を対象とした臨床試験を用いて、当該処置を（実施例において）適用する。様々なバイオマーカーの組み合わせの性能を、ｌｅａｖｅ−ｏｎｅ−ｏｕｔ  ｃｒｏｓｓ  ｖａｌｉｄａｔｉｏｎによって評価し、本発明の好ましいバイオマーカーの組み合わせが得られた。
【００８５】
上記システムに関し、本発明はまた、さらなる態様では、ヒト患者が歯肉炎であるかを評価するシステムを提供し、当該システム、以下の：
−ヒト患者の唾液試料中で以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出することができ、かつそのように適合された検出手段であって、上記のように、当該手段は公知であり、当業者が容易にアクセスできる。通常、被験体の口腔サンプルを受け取るための容器が提供され、その容器は当該検出手段を備え；
−前記タンパク質の決定された濃度から歯肉炎である患者の指標を決定するように適合されたプロセッサを含む。
【００８６】
場合によっては、当該システムは、ユーザインタフェース（又は、リモートインタフェースへのデータ接続）、特に、情報を提示することができるグラフィカルユーザインタフェース（ＧＵＩ）、ＧＵＩは、ユーザが、テキストベースのユーザインタフェース、タイプ化されたコマンドラベル、又は、テキストナビゲーション（本発明では除外されていない）の代わりに、グラフィカルアイコン及び二次表記などの視覚的インジケータを介して、電子装置と対話することを可能にするユーザインタフェース型であり、ＧＵＩは、一般的に公知であり、通常、ＭＰ３プレーヤ、ポータブルメディアプレーヤ、ゲーム装置、スマートフォン、及び、より小さな家庭用、オフィス及び産業用のコントロール等のハンドヘルドモバイル装置で使用され、上記のように、インタフェースは、場合によっては、例えば、被験体の年齢、性別、ＢＭＩ（Ｂｏｄｙ  Ｍａｓｓ  Ｉｎｄｅｘ）等の情報を入力できるように選択することができる。
【００８７】
本発明はまた、別個に又は上記システムの部分として、ヒト患者の唾液試料中の歯肉炎用の少なくとも２つのバイオマーカーを検出するキットを提供し、当該キットは、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；又は、
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の検出する、１又はそれ以上の検出試薬を含む。
【００８８】
通常、キットは、各々が異なるバイオマーカーを指向する、２又はそれ以上の検出試薬を含む。１つの実施形態では、第１検出試薬はＡ１ＡＧＰを検出し、第２検出試薬はＭＭＰ８を検出し、第３検出試薬はＭＭＰ９を検出する。他の実施形態では、第１検出試薬はＡ１ＡＧＰを検出し、第２検出試薬はＨＧＦを検出し、第３検出試薬はＳ１００Ａ８を検出する。さらなる態様では、第１検出試薬はＨＧＦを検出し、第２検出試薬はＭＭＰ８を検出し、場合によっては、第３検出試薬はＫ−４を検出する。さらに一の実施態様では、第１検出試薬はＭＭＰ８を検出し、第２検出試薬はＩＬ−１β又はケラチン−４を検出し、第３検出試薬はプロフィリンを検出する。
【００８９】
本発明の方法に関して上記のように、当該キットは、他のタンパク質等のより多くの検出試薬を含み得る。好ましい態様では、キットにおいて利用可能な検出試薬は、上記のように、本発明のバイオマーカーパネルを含む、３又は４個のタンパク質を検出する検出試薬からなる。さらなる態様では、以下の実施例で表１に例示した組み合わせにおいて存在するバイオマーカータンパク質各々について別個の検出試薬が提供される。
【００９０】
好ましくは、当該キットは、チップ、マイクロタイタープレート、又は該検出試薬を含むビーズ又は樹脂等の固体支持体を含む。いくつかの態様では、キットは、ＰｒｏｔｅｉｎＣｈｉｐ（商標）等の質量分析プロービングを含む。
【００９１】
当該キットはまた、非結合検出試薬又は前記バイオマーカー（サンドイッチ型アッセイ）のいずれかに特異的な洗浄溶液及び／又は検出試薬を提供することができる。
【００９２】
興味深い態様では、本発明のバイオマーカーパネルの認識は、ヒト患者における歯肉炎の状態の経時的モニタリングに適用される。従って、本発明はまた、歯肉炎に罹患しているヒト患者における歯肉炎の状態の変化を、第１時点ｔ１から第２時点ｔ２までの時間にわたり決定するインビトロ方法であって、前記患者からｔ１で得られた唾液の少なくとも１つの試料及び前記患者からｔ２で得られた唾液の少なくとも１つの試料において、以下の：
α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
肝細胞増殖因子（ＨＧＦ）、並びに、マトリックスメタロプロテアーゼ−８（ＭＭＰ８）及びケラチン４（Ｋ−４）の少なくとも１つ；又は、
マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質の濃度の検出工程と、前記濃度の少なくとも１つの差が状態の変化を反映するような、前記濃度の比較工程と、を含む方法を提供する。この差は、濃度の差として再検討することができ、したがって、最初に０と１の間の数字、又は他のいかなる分類も生成せずに、直接比較することができる。また、両時点で受信された測定値は、上記のように患者の状態を判定する際に行われるのと同じ方法で処理することもできることが理解されよう。
【００９３】
本発明はまた、ヒト患者が歯肉炎であるかを診断する方法であって、前記ヒト患者の唾液試料中で以下の前記タンパク質を検出することを含む方法：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；
のタンパク質を検出する工程；  
前記試料中の前記タンパク質の濃度に基づいて、患者における歯肉炎の存在を評価する工程；
を含む方法を提供する。
【００９４】
患者における歯肉炎の存在は、通常、前記試料中の前記タンパク質の濃度に基づいて評価される。場合によっては、この態様の方法は、患者の歯肉炎を治療するさらなる工程を含む。この任意の治療段階は、既知の治療剤又は歯科処置の投与、又は治療剤及び歯科処置の組み合わせを含むことができる。公知の治療剤としては、抗菌剤含有剤、例えば、洗口剤、チップ、ゲル又はミクロスフェアの投与が含まれる。歯肉炎の治療に用いられる典型的な抗菌剤は、クロルヘキシジンである。他の治療剤としては、抗生物質、通常経口投与される抗生物質、及びドキシサイクリン等の酵素抑制剤が挙げられる。既知の非外科的治療手技には、スケーリング及びルートプレーニング（ＳＲＰ）がある。既知の外科的処置には、外科的ポケット整復、皮弁手術、歯肉移植片又は骨移植片が含まれるが、これらは通常進行性歯周炎にのみ用いられ、通常歯肉炎の治療には用いられない。
【００９５】
本発明はさらに、ヒト患者において、以下の：
（ｉ）α−１−酸性糖タンパク質（Ａ１ＡＧＰ）、並びに、マトリックスメタロプロテアーゼ−８（ＭＭＰ８）、マトリックスメタロプロテアーゼ−９（ＭＭＰ９）、肝細胞増殖因子（ＨＧＦ）、ヘモグロビンサブユニットβ（Ｈｂ−ベータ）、及びＳ１００カルシウム結合タンパク質Ａ８（Ｓ１００Ａ８）の少なくとも１つ；
（ｉｉ）肝細胞増殖因子（ＨＧＦ）、並びに、マトリックスメタロプロテアーゼ−８（ＭＭＰ８）及びケラチン４（Ｋ−４）の少なくとも１つ；
（ｉｉｉ）マトリックスメタロプロテアーゼ−８（ＭＭＰ８）、並びに、インターロイキン−１β（ＩＬ−１β）、ケラチン４（Ｋ−４）、及びプロフィリンの少なくとも１つ；のタンパク質を検出する方法を提供し、当該方法は、以下の：
（ａ）ヒト患者から唾液試料を得る工程；及び、
（ｂ）前記タンパク質を結合する１又はそれ以上の検出試薬と試料を接触させて、前記タンパク質が試料中に存在するか否かの検出工程、及び各タンパク質と１又はそれ以上の検出試薬との間の結合の検出工程；
を含む。
【００９６】
本発明は、以下の非限定的な実施例を参照してさらに例示される。
【実施例】
【００９７】
歯肉炎と診断された３５例と健常歯肉である３９例の被験体７４例を対象に臨床試験を実施し、以下に示すように２〜４種類のタンパク質バイオマーカーを含むパネルを用いて、Ｒｅｃｅｉｖｅｒ−Ｏｐｅｒａｔｏｒ−Ｃｈａｒａｃｔｅｒｉｓｔｉｃ領域−曲線下面積値＞０．７５を得た。
【００９８】
ＲＯＣ（Ｒｅｃｅｉｖｅｒ  Ｏｐｅｒａｔｏｒ  Ｃｈａｒａｃｔｅｒｉｓｔｉｃ）領域‐曲線下（ＡＵＣ）値を得た。様々なバイオマーカーの組み合わせの性能を、ｌｅａｖｅ−ｏｎｅ−ｏｕｔ  ｃｒｏｓｓ  ｖａｌｉｄａｔｉｏｎ  （ＬＯＯＣＶ）を用いたロジスティック回帰法により評価し、本明細書で説明するような好ましいバイオマーカーの組み合わせを得た。
【００９９】
統計では、Ｒｅｃｅｉｖｅｒ−Ｏｐｅｒａｔｏｒ−Ｃｈａｒａｃｔｅｒｉｓｔｉｃ曲線、すなわちＲＯＣ曲線は、識別閾値が変化するにつれて、二進分類器システムの性能を示すグラフプロットである。この曲線は、様々な閾値設定での偽陽性率（ＦＰＲ）に対して真の陽性率（ＴＰＲ）をプロットすることによって作成される。真の陽性率は、機械学習における感度、想起又は検出の確率としても知られている。偽陽性率は、フォールアウト又は誤警報の確率としても知られており、（１−特異度）として計算することができる。したがって、ＲＯＣ曲線は、フォールアウトの関数としての感度である。一般的に、検出と誤警報の両方の確率分布が既知であれば、ＲＯＣ曲線は、検出確率の累積分布関数（−∞から識別閾値までの確率分布の下の面積）の値をｙ軸に、誤報確率の累積分布関数の値をｘ軸にプロットすることによって生成することができる。試験の精度は、試験が試験対象群を、問題の疾患のある群とない群とにどれだけうまく分けられるかに依存する。精度は、ＲＯＣ曲線下面積で測定する。面積１は完全な試験を表し、面積０．５は価値のない試験を表す。診断試験の精度を分類するガイドは、伝統的な学術的ポイント制である：
−０．９０−１  ＝優良（Ａ）
−０．８０−０．９０  ＝良好（Ｂ）
−０．７０−０．８０  ＝公正（Ｃ）
−０．６０−０．７０  ＝不良（Ｄ）
−０．５０−０．６０  ＝失敗（Ｆ）
以上のことから、上記臨床試験の結果において、ＲＯＣ  ＡＵＣ値が０．７５を超えると、本発明に関する試験を実施する望ましい精度を表すと考えられる。
【０１００】
本研究で検討したタンパク質バイオマーカーは以下の通りである：
・ＭＭＰ８
・ＭＭＰ９
・ＩＬ−１β
・ＨＧＦ
・遊離軽鎖（ＦＬＣ）カッパ（ｋａｐｐａ）
・遊離軽鎖（ＦＬＣ）ラムダ（ｌａｍｂｄａ）
・Ａ１ＡＧＰ
・Ｈｂ−ベータ（ｂｅｔａ）
・Ｈｂデルタ（ｄｅｌｔａ）
・ケラチン４
・プロフィリン
・ピルビン酸キナーゼ
・Ｓ１００Ａ８
・Ｓ１００Ａ９
さらに、用いたロジスティック回帰では、追加の予測因子としてκ＋λ、κ−λ、κ／λを考慮した。
【０１０１】
さらに、年齢を予測因子として含めた。
【０１０２】
これにより、最大４つのタンパク質バイオマーカー（年齢のみを有するパネルは考慮しない）を有する、合計４２０４の可能性のある非冗長パネルが得られる。ここで、非冗長とは、ロジスティック回帰の場合のように、例えば、κ＋λ及びκ−λを予測因子として含むパネルは、予測因子としてκ及びλを含む対応するパネルと同じ結果を与えるように、考慮されないことを意味する。
【０１０３】
パネル中のタンパク質マーカーの数を制限せずに、上記の予測因子を考慮すると、多数の９８３０２個の可能な非重複パネル（年齢のみを有するパネルは考慮しない）を生じることに注意されたい。
【０１０４】
この試験から、健常口腔と歯肉炎を分類するＡＵＣ  ＬＯＯＣＶ＞０．７５を提供する４０７のパネルが同定された。本発明の好ましいバイオマーカーパネルは、（少なくとも）これらの４０７個の同定されたパネルをカバーする。
【０１０５】
これら４０７のパネルのうち：
・２つのタンパク質マーカーがあるのは６つであり；
・３つのタンパク質マーカーがあるのは６５であり；
・４つのタンパク質マーカーがあるのは３３６であった。
【０１０６】
タンパク質マーカーが２つのみの６つのパネルは、以下の通りである：
・ＭＭＰ８＋Ａ１ＡＧＰ（ＡＵＣ  ＬＯＯＣＶ＝０．７８８）
・ＭＭＰ９＋Ａ１ＡＧＰ（ＡＵＣ  ＬＯＯＣＶ＝０．７８８）
・ＨＧＦ＋ケラチン４（ＡＵＣ  ＬＯＯＣＶ＝  ０．７７５）
・ＭＭＰ８＋Ａ１ＡＧＰ＋年齢（ＡＵＣ  ＬＯＯＣＶ＝０．７８０）
・ＭＭＰ９＋Ａ１ＡＧＰ＋年齢（ＡＵＣ  ＬＯＯＣＶ＝０．７６６）
・ＨＧＦ＋ケラチン４＋年齢（ＡＵＣ  ＬＯＯＣＶ＝  ０．７５９）。
【０１０７】
これらのパネルの各々は、本発明の好ましい実施形態として強調される。
（当該パネルは、実際には、年齢を加えてもよい３つのパネルであり、当該パネルの年齢が性能を向上させるものではないことに注意）
さらに、１４のパネルはＡＵＣ  ＬＯＯＣＶ＞０．８５であることが分かった。これらは、以下の表１で提供される：
【０１０８】
【表１】
2021521421.tif 000003
表１
この表中のバイオマーカーの組み合わせの各々は、本発明の好ましい組み合わせとして強調されている。これらのパネルはすべてタンパク質マーカーが４つであることが分かる。これらの結果は、少なくともＡ１ＡＧＰ及びＨｂ−ベータ、さらにＭＭＰ８、ＭＭＰ９、及びケラチン４の少なくとも１つ（好ましくは２つ）に対する嗜好性を示すものとして要約することができる。
【０１０９】
本発明は、図面及び上記説明では詳細に説明及び記載されているが、そのような説明及び記載は、例示的及び典型的であり、限定的ではないとみなされるべきであり、本発明は、開示された実施形態に限定されない。
【０１１０】
例えば、異なるバイオマーカーについて異なる単位で検出試薬を提示することができる。又は、好都合には、本発明のキットは、すべての実施形態、例えば、Ａ１ＡＧＰ、ＭＭＰ８又はＨＧＦのバイオマーカー用の検出試薬の固定セット、及び場合によっては、Ｓ１００Ａ８及び／又はＫ−４等の他のバイオマーカー用の検出試薬を含む可撓性モジュールを含むことができる。
【０１１１】
開示された実施形態に対する他の変形例は、図面、開示、及び添付の請求の範囲の研究から、当業者が請求する発明を実施する際に理解し、実施することができる。クレームでは、語「含む」は、他の要素又は工程を除外せず、不定冠詞「ａ」又は「ａｎ」（原文）は、複数を除外しない。本発明の特定の特徴が相互に異なる従属クレームに記載されているという単なる事実は、これらの特徴の組み合わせが有利に使用できないことを示すものではない。クレーム中の引用符号は、その範囲を限定するものと解釈してはならない。
【０１１２】
要すれば、本発明者らは、ヒト患者が歯肉炎に罹患しているかを評価するインビトロ方法を開示する。この方法は、バイオマーカータンパク質を決定する洞察に基づく。従って、患者由来の唾液試料において、本明細書に記載されるタンパク質の濃度が測定される。当該測定濃度に基づき、当該タンパク質の結合濃度が反映された値が決定される。この値は歯肉炎関連結合濃度を同じように反映する閾値と比較される。当該比較により、試験値が前記患者における歯肉炎の存在の指標となるかを評価することができる。これにより、通常、閾値により反映される結合濃度未満の結合濃度を反映する試験値は、前記患者が歯肉炎でない指標であり、閾値により反映される結合濃度で又はそれ以上の結合濃度を反映する試験値は、前記患者が歯肉炎である指標となる。
【図１】
2021521421.tif 000004
【国際調査報告】
2021521421.tif 000005
2021521421.tif 000006
2021521421.tif 000007
2021521421.tif 000008
2021521421.tif 000009
2021521421.tif 000010
2021521421.tif 000011